(57)【要約】【課題】レンズバリアを有するカメラにおいて、レンズカメラの駆動機構の部品点数が少なく、かつ作動不良が発生しにくくする。【解決手段】カム枠１が反時計方向に回転すると、係合部２ｂが突起部１ｂに押圧され、突起部１ｂの移動領域から外れることによりレンズバリア２が撮影レンズ５前面から退避する位置に移動する。【選択図】図２
2004177872.tif 000002
【特許請求の範囲】
【請求項１】
撮影レンズと、回転しながら前記撮影レンズの光軸方向に延伸する撮影レンズ鏡筒と、少なくとも前記撮影レンズ前面を覆う位置と前記撮影レンズ前面から退避する位置とに移動するレンズバリアと、を備えてなるカメラにおいて、
前記レンズ鏡筒に突起部と、前記レンズバリアに前記突起部に係合する係合部とを備え、
前記撮影レンズ鏡筒の回転に連動して前記突起部も回転して前記係合部を移動させることにより、前記レンズバリアを前記撮影レンズ前面を覆う位置から退避する位置に移動させることを特徴とするカメラ。
【請求項２】
撮影レンズと、回転しながら前記撮影レンズの光軸方向に延伸する撮影レンズ鏡筒と、少なくとも前記撮影レンズ前面を覆う位置と前記撮影レンズ前面から退避する位置とに移動するレンズバリアと、を備えてなるカメラにおいて、
前記レンズ鏡筒に突起部と、前記レンズバリアに係合部と、前記突起部と係合部とを連結する連結部材と、を備え、
前記撮影レンズ鏡筒の回転に連動して前記突起部も回転して前記連結部材を移動させることにより、前記レンズバリアを前記撮影レンズ前面を覆う位置から退避する位置に移動させることを特徴とするカメラ。
【発明の詳細な説明】
【０００１】
【発明の属する技術分野】
本発明は、回転しながら撮影レンズの光軸方向に延伸する撮影レンズ鏡筒と、少なくとも撮影レンズ前面を覆う位置と前記撮影レンズ前面から退避する位置とに移動するレンズバリアとを備えたカメラに関するものである。
【０００２】
【従来の技術】
従来から、沈胴式として知られるカメラでは、カメラの不使用時（電源ＯＦＦ時）は撮影レンズ鏡筒をカメラ筐体前面から退避する位置に繰り込み、カメラの使用時（電源ＯＮ時）にはカメラ筐体前面から突出する位置に繰り出すように構成されたものがある。そして、例えば特許文献１に示すように、カメラの不使用時に撮影レンズを保護するために、レンズバリアを撮影レンズ前面を覆う位置に配設し、カメラの使用時にレンズバリアを撮影レンズ前面から退避する位置に移動させるものがある。
【０００３】
【特許文献１】
実開平５−８１８３１号公報
【０００４】
【発明が解決しようとする課題】
ところが、従来のカメラは、レンズバリアを上述した撮影レンズを覆う位置と退避位置との間を移動させるのに、駆動源からレンズバリア専用の駆動伝達機構を構成している。そのために、部品点数が多くなってしまい、作動不良が発生したり、コストアップとなってしまうという問題があった。また、レンズバリアの移動を撮影レンズ鏡筒の移動に連動する必要があるために、レンズバリアと撮影レンズ鏡筒の移動をリンクするための制御を行わなければならないという問題もあった。
【０００５】
【課題を解決するための手段】
本発明は、上記問題に鑑みてなされたものであり、撮影レンズと、回転しながら前記撮影レンズの光軸方向に延伸する撮影レンズ鏡筒と、少なくとも前記撮影レンズ前面を覆う位置と前記撮影レンズ前面から退避する位置とに移動するレンズバリアと、を備えてなるカメラにおいて、前記レンズ鏡筒に突起部と、前記レンズバリアに前記突起部に係合する係合部とを備え、前記撮影レンズ鏡筒の回転に連動して前記突起部も回転して前記係合部を移動させることにより、前記レンズバリアを前記撮影レンズ前面を覆う位置から退避する位置に移動させるカメラとしたものである。
【０００６】
あるいは、撮影レンズと、回転しながら前記撮影レンズの光軸方向に延伸する撮影レンズ鏡筒と、少なくとも前記撮影レンズ前面を覆う位置と前記撮影レンズ前面から退避する位置とに移動するレンズバリアと、を備えてなるカメラにおいて、前記レンズ鏡筒に突起部と、前記レンズバリアに係合部と、前記突起部と係合部とを連結する連結部材と、を備え、前記撮影レンズ鏡筒の回転に連動して前記突起部も回転して前記連結部材を移動させることにより、前記レンズバリアを前記撮影レンズ前面を覆う位置から退避する位置に移動させるカメラとしたものである。
【０００７】
【発明の実施の形態】
以下、本発明の実施例について、図面を用いて説明する。
図１は、本発明の第１の発明であるカメラの不使用時の一部構成を示す図であり、撮影レンズ鏡筒に構成され撮影レンズを光軸方向に繰り出すためのカム枠１、カメラの不使用時に撮影レンズを覆うレンブバリア２、カム枠１のギヤ部１ｂに連結されるギヤ３、ギヤ３に連結されるモータ等の駆動源４を備えている。この状態では、撮影レンズ鏡筒がカメラ筐体前面から退避する位置に繰り込んでおり、撮影レンズ前面にレンズバリア２が撮影レンズ前面を覆う位置に配設されているために、撮影レンズの保護をしている。
【０００８】
図２は、本発明のカメラの使用時の一部構成を示す図であり、図１の状態からカメラの電源がＯＮされると、駆動源４によってギヤ３が回転し、その回転が噛合しているカム枠１のギヤ１ａに伝達されるために、カム枠１が図面上反時計方向に回転する。これにより、撮影レンズ鏡筒がカメラ筐体前面から突出する位置に繰り出される。
【０００９】
次に、本発明の特徴となるレンズバリア２の移動について説明する。なお、このレンズバリア２は、回転軸２ａを中心に回転するようにしている。
【００１０】
図１のカメラの不使用時は、レンズバリア２が撮影レンズ５前面を覆う位置で停止している。レンズバリア２がこの位置で停止させるためには、カム枠１に形成された突起部１ｂの端面起立部１ｃがレンズバリア２に形成された係合部２ｂの移動を停止させる壁面として作用するようにしてもよく、あるいはレンズバリア２が図１の状態からさらに反時計方向に回転させないようにするメカ機構を形成するようにすればよい。
【００１１】
この図１の状態からカム枠１が反時計方向に回転すると、係合部２ｂが突起部１ｂに押圧され、図２に示すように、突起部１ｂの移動領域から外れることによりレンズバリア２が撮影レンズ５前面から退避する位置に移動する。そして、カメラの使用時は、図２に示すように、突起部１ｂの端面起立部１ｃが係合部２ｃに係合した状態で停止することで、レンズバリア２が撮影レンズ５前面から退避した位置で停止する。また、図２の状態から図１の状態に戻す場合は、逆の動作を行う。
【００１２】
なお、図２の退避位置状態から図１の覆う位置状態へは、レンズバリア２の自重により移動するようにし、逆の移動を重力に抗して移動するようにすればよい。あるいは、回転軸２ａにレンズバリア２を反時計方向に付勢させる捩りバネを形成し、レンズバリア５を図２から図１の状態に移動させる場合は、捩りバネの付勢力により移動させ、図１から図２の状態に移動させる場合は、捩りバネの付勢力に抗して係合部２ｂを突起部１ｂの移動領域から外すことにより移動させるようにすればよい。
【００１３】
このように、本発明によれば、撮影レンズ鏡筒の構成部品であるカム枠１とレンズバリア２とを直接連結させることにより、作動不良が少なく、部品点数も大幅に削減できるとともに、少ない回転角によりレンズバリア２の移動を行うことができるようになる。
【００１４】
次に、本発明の第２の発明について説明する。
図３は、本発明の第２の発明であるカメラの不使用時の一部構成を示す図であり、図４は、カメラの使用時の一部構成を示す図であり、図１と同様の構成である突起部１ｂと係合部２ｂとの間に連結部材６が介在されている。なお、カム枠１は図１と同様の構成であり、レンズバリア２は回転軸２ａを中心に回動する点、図３と図４の位置まで移動し停止する構成は同様である。
【００１５】
この連結部材６は、回転軸６ｃを中心に回転し、図３の状態では端面起立部１ｃ部分に係合部６ａが接触し、延長部６ｂに係合部２ｂが接触した状態となっている。レンズバリア２がこの位置で停止させるためには、カム枠１に形成された突起部１ｂの端面起立部１ｃが連結部材６に形成された係合部６ａの移動を停止させる壁面として作用するようにしてもよく、あるいはレンズバリア２または連結部材６が図１の状態からさらに反時計方向に回転させないようにするメカ機構を形成するようにすればよい。
【００１６】
この図３の状態からカム枠１が反時計方向に回転すると、係合部６ａが突起部１ｂに押圧され、図４に示すように、突起部１ｂの移動領域から外れることにより延長部６ｂが係合部６ｂを押圧し、レンズバリア２が撮影レンズ５前面から退避する位置に移動する。そして、カメラの使用時は、レンズバリア２が図４に示す状態で停止することで、撮影レンズ５前面から退避した位置で停止することになる。また、図４の状態から図３の状態に戻す場合は、逆の動作を行う。
【００１７】
なお、図４の退避位置状態から図３の覆う位置状態へは、レンズバリア２の自重により連結部材６も移動させるようにし、逆の移動を重力に抗して移動するようにすればよい。この際、連結部材６の回転軸６ｃに連結部材６を反時計方向に付勢させる捩りバネを形成するようにしてもよい。あるいは、回転軸２ａにレンズバリア２を反時計方向に付勢させる捩りバネを形成し、レンズバリア５を図４から図３の状態に移動させる場合は、捩りバネの付勢力により移動させ、図３から図４の状態に移動させる場合は、捩りバネの付勢力に抗してレンズバリア２を移動させるようにすればよい。
【００１８】
このように、本発明の第２の発明によれば、第１の発明に比べて連結部材６が増えるが、第１の発明と同様の効果を得ることができるとともに、連結部材６の形状やレンズバリア２の係合部２ｂの位置を変えることにより、設置位置の自由度が増し、レイアウト上の制限を受ける場合でもある程度の自由度を持って設計できるようになる。また、本発明の第１の発明に比較して、カム枠１の回転角が少なくて済むようになるために、レンズバリア２の開閉スピードを向上させることができるようになる。
【００１９】
【発明の効果】
以上説明したように、本発明のカメラによれば、レンズバリアを撮影レンズ鏡筒と連結、または連結部材を介して連結することにより、部品点数が少なく、かつ作動不良が発生しにくいカメラを提供することができる。
【図面の簡単な説明】
【図１】本発明の第１の発明のカメラの一部を示す構成図である。
【図２】図１の動作状態を示す構成図である。
【図３】本発明の第２の発明のカメラの一部を示す構成図である。
【図４】図３の動作状態を示す構成図である。
【符号の説明】
１：カム枠
１ａ：ギヤ
１ｂ：突起部
１ｃ：端面起立部
２：レンズバリア
２ａ，６ｃ：回転軸
２ｂ，２ｃ，６ａ：係合部
３：ギヤ
４：動力源
５：撮影レンズ
６：連結部材
６ｂ：延長部
【図１】
2004177872.tif 000003
【図２】
2004177872.tif 000004
【図３】
2004177872.tif 000005
【図４】
2004177872.tif 000006